(57)【特許請求の範囲】
【請求項１】
バッテリによって駆動される電子機器が接続可能で、且つ該電子機器からの電源供給によって内蔵バッテリの充電が可能な携帯電話機において、
上記内蔵バッテリの充電時、上記電子機器からの電源供給によって充電が行われているか否かを検出する検出手段と、
該検出手段により上記電子機器からの電源供給によって充電が行われていると検出され、かつ、前記電子機器が前記バッテリによって駆動されていると判断されたことを条件に、消費電力を抑える省電力モードへの移行を行い、前記条件が満たされない場合に通常モードへの移行を行う制御手段とを設けたことを特徴とする携帯電話機。
【請求項２】
上記制御手段は、省電力モードの移行時において、圏外時の圏外検索動作の周期を長くすることを特徴とする請求項１記載の携帯電話機。
【請求項３】
上記制御手段は、省電力モードの移行時において、表示手段への電源供給を停止することを特徴とする請求項１又は請求項２記載の携帯電話機。
【請求項４】
電子機器が接続可能で、且つ該電子機器からの電源供給によって内蔵バッテリの充電が可能な携帯電話機において、
上記内蔵バッテリの充電時、上記電子機器からの電源供給によって充電が行われているか否かを検出する検出手段と、
該検出手段による検出結果に基づいて上記内蔵バッテリの消費電力を抑える省電力モードへの移行を行う制御手段とを設け、
上記電子機器は、バッテリを含む複数種類の電源によって駆動が可能で、且つ前記バッテリまたは他の電源のいずれによって駆動されているかを外部に通知する機能を有する一方、上記制御手段は、上記検出手段により電子機器からの電源供給によって充電が行われていることが検出され、上記電子機器から前記バッテリによって駆動されていることが通知されたことを条件に上記省電力モードへの移行を行い、前記条件が満たされない場合に通常モードへの移行を行うことを特徴とする、携帯電話機。
【発明の詳細な説明】
【０００１】
【発明の属する技術分野】
本発明は、電子機器を接続してデータ通信を行うことができる携帯電話機に関する。
【０００２】
【従来の技術】
従来より、携帯電話機においては、ケーブルを介してパソコンを接続することによってデータ通信を行うことができるものがあり、このようなパソコンが接続可能な携帯電話機においては、パソコンからの電源供給によって内蔵バッテリの充電を行うようにしたものが提案されていた。
【０００３】
【発明が解決しようとする課題】
ところが、上記従来装置のように、パソコンからの電源供給によって内蔵バッテリの充電を行うものでは、携帯電話機の使用可能時間を延ばし、結果的にデータ通信の可能時間を延ばすことができるものの、パソコンのバッテリを多く消費することにつながり、結果的にパソコンのバッテリがなくなってデータ通信のみならずその他の機能を使用できなくなるといった事態が発生するといった問題点があった。
【０００４】
本発明は、データ通信の可能時間を延ばしつつ、パソコンのバッテリ消費を抑えることができる携帯電話機を提供することを目的とするものである。
【０００５】
【課題を解決するための手段】
上記目的を達成するために、請求項１記載の発明は、バッテリによって駆動される電子機器が接続可能で、且つ該電子機器からの電源供給によって内蔵バッテリの充電が可能な携帯電話機において、上記内蔵バッテリの充電時、上記電子機器からの電源供給によって充電が行われているか否かを検出する検出手段と、該検出手段により上記電子機器からの電源供給によって充電が行われていると検出され、かつ、電子機器がバッテリによって駆動されていると判断されたことを条件に、消費電力を抑える省電力モードへの移行を行い、条件が満たされない場合に通常モードへの移行を行う制御手段とを設けたものである。
【０００６】
請求項２記載の発明は、請求項１記載の発明の構成に加え、上記制御手段が、省電力モードの移行時において、圏外時の圏外検索動作の周期を長くするものである。
【０００７】
請求項３記載の発明は、請求項１又は請求項２記載の発明の構成に加え、上記制御手段が、省電力モードの移行時において、表示手段への電源供給を停止するものである。
【０００８】
請求項４記載の発明は、電子機器が接続可能で、且つ該電子機器からの電源供給によって内蔵バッテリの充電が可能な携帯電話機において、上記内蔵バッテリの充電時、上記電子機器からの電源供給によって充電が行われているか否かを検出する検出手段と、該検出手段による検出結果に基づいて上記内蔵バッテリの消費電力を抑える省電力モードへの移行を行う制御手段とを設け、上記電子機器が、バッテリを含む複数種類の電源によって駆動が可能で、且つバッテリまたは他の電源のいずれによって駆動されているかを外部に通知する機能を有する一方、上記制御手段が、上記検出手段により電子機器からの電源供給によって充電が行われていることが検出され、上記電子機器からバッテリによって駆動されていることが通知されたことを条件に上記省電力モードへの移行を行い、条件が満たされない場合に通常モードへの移行を行うものである。
【０００９】
従って、請求項１記載の発明によれば、検出手段が内蔵バッテリの充電を電子機器からの電源供給によって行っていると検出し、かつ、電子機器がバッテリによって駆動されていると判断されたことを条件に、制御手段が消費電力を抑える省電力モードへ移行し、条件が満たされない場合に通常モードへの移行することにより、電子機器における消費電力を抑えることができる。
【００１０】
請求項２記載の発明によれば、検出手段が内蔵バッテリの充電を電子機器からの電源供給によって行っていると検出したとき、制御手段が省電力モードに移行し、圏外時の圏外検索動作の周期を長くすることにより、電子機器における消費電力を抑えることができる。
【００１１】
請求項３記載の発明によれば、検出手段が内蔵バッテリの充電を電子機器からの電源供給によって行っていると検出したとき、制御手段が省電力モードに移行し、表示手段への電源供給を停止することにより、電子機器における消費電力を抑えることができる。
【００１２】
請求項４記載の発明によれば、検出手段が内蔵バッテリの充電を電子機器からの電源供給によって行っていると検出し、電子機器からバッテリによって駆動されていることが通知されたことを条件に、制御手段が内蔵バッテリの消費電力を抑える省電力モードへ移行し、条件が満たされない場合に通常モードへの移行することにより、電子機器がバッテリを用いている状態において当該電子機器の消費電力を抑えることができる。
【００１３】
【発明の実施の形態】
以下、本発明の実施の形態について図面を参照して詳細に説明する。
【００１４】
図１は本発明の一実施の形態である携帯電話機とパソコンの電気的構成を示す機能ブロック図、図２は同携帯電話機とパソコンとを接続した状態の構造を示す外観斜視図、図３は同携帯電話機における内蔵バッテリ充電時の動作制御を示すフローチャート、図４は同携帯電話機における省電力モード時の動作制御を示すフローチャート、図５は同携帯電話機における圏外検索動作を示すタイミングチャートであり、（ａ）は通常モード時を、（ｂ）は省電力モード時をそれぞれ示すものである。
【００１５】
以下、本発明の一実施の形態である携帯電話機を図１乃至図５に基づいて説明する。
【００１６】
図１及び図２において、１はアンテナ、２はアンテナ１を介して図示しない基地局との間で信号の送受信を行う無線部、３は無線部２によって送受信される信号に所定の信号処理を施す信号処理部、４は信号処理部３からの音声信号を音声として外部に放音するスピーカ、５は外部の音声を集音して音声信号として信号処理部３に供給するマイク、６は電話番号の入力や各種機能の起動／停止指示等を行う操作部、７は各種情報を表示する表示部、８は外部機器との信号の入出力を行うケーブル入出力部、９は携帯電話機Ａの各部への電源供給を行う内蔵バッテリ、１０は操作部６からの各種指示信号やケーブル入出力部８からの信号等に基づいて各部の制御を行う制御部であり、これらアンテナ１と、無線部２と、信号処理部３と、スピーカ４と、マイク５と、操作部６と、表示部７と、ケーブル入出力部８と、内蔵バッテリ９と、制御部１０とによって携帯電話機Ａが構成されている。
【００１７】
１１は各種データを入力するためのキーボード、１２は各種データを表示するディスプレイ、１３は外部機器との信号の入出力を行うケーブル入出力部、１４はパソコンＢの各部やケーブル入出力部１３を介した外部機器への電源供給を行うバッテリ、１５はパソコンＢの各部やケーブル入出力部１３を介した外部機器への電源供給を行うＡＣ電源、１６はプログラム等を記憶するＲＯＭ、１７は各種データ等を記憶するＲＡＭ、１８はキーボード１１からの各種指示信号やケーブル入出力部１３からの信号やＲＯＭ１６に記憶されたプログラムやＲＡＭ１７に記憶された各種データに基づいて各部の制御を行うＣＰＵであり、これらキーボード１１と、ディスプレイ１２と、ケーブル入出力部１３と、バッテリ１４と、ＡＣ電源１５と、ＲＯＭ１６と、ＲＡＭ１７と、ＣＰＵ１８とによってパソコンＢが構成されている。
【００１８】
そして、これら携帯電話機ＡとパソコンＢとは、携帯電話機Ａのケーブル入出力部８とパソコンＢのケーブル入出力部１３とに接続されるケーブルＣによって接続可能となっており、ケーブルＣを介して携帯電話機ＡとパソコンＢとの間でデータ通信が可能となると共に、ケーブルＣを介して携帯電話機ＡがパソコンＢのバッテリ１４又はＡＣ電源１５からの電源供給を受け、内蔵バッテリ９を充電することができるようになっている。
【００１９】
尚、何れの電源によって駆動されているかを外部に通知する機能を有するパソコンＢは、ケーブル入出力部１３を通じて電源供給を行う場合に、ケーブル入出力部１３の内の所定のピンのレベルを、バッテリ１４によって駆動を行っているときにＬｏｗレベルにする一方、ＡＣ電源１５によって駆動を行っているときにＨｉｇｈレベルにしており、又何れの電源によって駆動されているかを外部に通知する機能を有しない場合には、ケーブル入出力部１３の内に所定のピンを有しておらず、携帯電話機Ａ側のケーブル入出力端子８の内の所定のピンは常にＬｏｗレベルとなっている。
【００２０】
上記のように構成された携帯電話機Ａについて、まず、充電時の動作を図３に示すフローチャートに基づいて説明する。
【００２１】
内蔵バッテリ９の充電が開始されると、制御部１０はその内蔵バッテリ９の充電がケーブル入出力部８からの電源供給によって行われているか図示しない充電端子からの電源供給によって行われているか判断する（ステップＦ１）。
【００２２】
そして、このとき、ケーブル入出力部８からの電源供給、即ちパソコンＢからの電源供給によって内蔵バッテリ９の充電を行っていると判断した場合には、制御部１０はケーブル入出力部８の内の所定のピンのレベルがＬｏｗレベルかＨｉｇｈレベルか判断し（ステップＦ２）、このとき、ケーブル入出力部８の内の所定のピンのレベルがＬｏｗレベルであると判断した場合には、パソコンＢがバッテリ１４によって駆動されている又はパソコンＢが何れの電源によって駆動されているかを外部に通知する機能を有していないと判断し、省電力モードに移行する（ステップＦ３）。
【００２３】
一方、充電開始時において図示しない充電端子からの電源供給によって内蔵バッテリ９の充電が行われていると判断された場合（ステップＦ１）又はケーブル入出力部８の内の所定のピンのレベルがＨｉｇｈレベルであり、パソコンＢがＡＣ電源１５によって駆動されていると判断された場合（ステップＦ２）には、制御部１０は通常モードに移行する（ステップＦ４）。
【００２４】
従って、上記動作制御によれば、パソコンＢがバッテリ１３によって駆動されている状態において、携帯電話機Ａの内蔵バッテリ９の充電をパソコンＢからの電源供給によって行っているとき、内蔵バッテリ９の消費電力を抑える省電力モードへ移行することができる。
【００２５】
尚、上記動作制御では、パソコンＢからの電源供給によって内蔵バッテリ９の充電を行っていると判断した後、ケーブル入出力部８の内の所定のピンのレベルがＬｏｗレベルかＨｉｇｈレベルか判断し、その結果に基づいて省電力モードに移行するか否かを決定するようにしたが、これに限定するものではなく、ケーブル入出力部８の内の所定のピンのレベルがＬｏｗレベルかＨｉｇｈレベルか判断することなく、パソコンＢからの電源供給によって内蔵バッテリ９の充電を行っていると判断した直後に省電力モードに移行するようにしても良い。
【００２６】
次に、省電力モード時の動作を図４に示すフローチャート及び図５に示すタイミングチャートに基づいて説明する。
【００２７】
上記動作制御に基づいて省電力モードに移行すると、制御部１０は表示部７への電源供給を停止して表示部７における表示を停止する（ステップＦ１１）と共に、図示しない基地局との無線接続が可能な圏内なのか圏外なのか判断し（ステップＦ１２）、このとき、圏外であると判断された場合には、図５（ｂ）に示すように、圏外検索周期を十分に長くして圏外検索動作を行う（ステップＦ１３）。
【００２８】
従って、上記動作制御によれば、省電力モード時において、電力消費の大きい表示部７における表示を停止したり圏外検索動作の実行回数を減らすことにより、携帯電話機Ａの消費電力を抑えて内蔵バッテリ９の消耗を減らすことができ、それに伴って、パソコンＢの消費電力をも抑えることができる。
【００２９】
尚、上記動作制御では、省電力モード時における消費電力を抑える動作としては、表示部７における表示の停止や圏外検索動作の実行回数の低減を行うようにしたが、これに限定するものではなく、消費電力を抑えることができるものであれば如何なる動作であっても良い。
【００３０】
【発明の効果】
以上のように、請求項１乃至請求項３の何れかに記載の発明によれば、内蔵バッテリの充電を電子機器からの電源供給によって行っており、電子機器がバッテリによって駆動されていると判断されたとき、消費電力を抑える省電力モードへ移行することにより、電子機器における消費電力を抑えることができるため、携帯電話機及び電子機器の双方のバッテリの消耗を抑えて長時間の使用を可能とすることができる。
【００３１】
請求項４記載の発明によれば、内蔵バッテリの充電を電子機器からの電源供給によって行っているとき、電子機器からバッテリによって駆動されていることが通知されたことを条件に、内蔵バッテリの消費電力を抑える省電力モードへ移行することにより、電子機器がバッテリを用いている状態においてのみ、当該電子機器の消費電力を抑えることができるため、携帯電話機及び電子機器の双方のバッテリの消耗を抑えて長時間の使用を可能とすることができると共に、電子機器をＡＣ電源によって駆動している状態における不具合を防止することができる。
【図面の簡単な説明】
【図１】本発明の一実施の形態である携帯電話機とパソコンの電気的構成を示す機能ブロック図である。
【図２】同携帯電話機とパソコンとを接続した状態の構造を示す外観斜視図である。
【図３】同携帯電話機における内蔵バッテリ充電時の動作制御を示すフローチャートである。
【図４】同携帯電話機における省電力モード時の動作制御を示すフローチャートである。
【図５】同携帯電話機における圏外検索動作を示すタイミングチャートであり、（ａ）は通常モード時を、（ｂ）は省電力モード時をそれぞれ示すものである。
【符号の説明】
１    アンテナ
２    無線部
３    信号処理部
４    スピーカ
５    マイク
６    操作部
７    表示部
８    ケーブル入出力部
９    内蔵バッテリ
１０    制御部
【図１】
0003616262.tif 000002
【図２】
0003616262.tif 000003
【図３】
0003616262.tif 000004
【図４】
0003616262.tif 000005
【図５】
0003616262.tif 000006